(57)【要約】【課題】第１のメモリに格納された暗号化鍵を用いて、該第１のメモリとは別の大容量記録容量を有する第２のメモリ内に格納された暗号化データを復号化して再生する際、該第２のメモリに格納された前記暗号化データに高速にアクセスできるコンテンツ記録再生装置、コンテンツ再生方法、及びコンテンツ記録方法を提供する。【解決手段】第１のメモリと、大容量記録容量を有する第２のメモリを具備したコンテンツ記録再生装置において、前記第１のメモリ内の暗号化鍵ファイル内に、第２のメモリの暗号化コンテンツにアクセスするためのファイル管理情報を含むようにし、該第２のメモリに格納された暗号化データを再生する際には、前記第１のメモリの暗号化鍵ファイル内のファイル管理情報に基づいて、前記暗号化データに対して高速にアクセスする。【選択図】図１
2005128898.tif 000002
【特許請求の範囲】
【請求項１】
アクセス時に認証作業を必要とする著作権保護機能を有し、コンテンツを暗号化する暗号化鍵を格納する第１のメモリと、暗号化されたコンテンツを十分に格納可能な大容量記録容量を有する第２のメモリと、を備えるコンテンツ記録再生装置において、
前記第１のメモリ内の、前記暗号化鍵を格納する暗号化鍵情報記録領域に、前記第２のメモリに格納されている前記暗号化鍵を用いて暗号化された暗号化コンテンツにアクセスするためのファイル管理情報を持つ、
ことを特徴とするコンテンツ記録再生装置。
【請求項２】
請求項１に記載のコンテンツ記録再生装置において、
前記暗号化コンテンツを記録するときは、前記第１のメモリ内の前記暗号化鍵情報記録領域に、該暗号化コンテンツを暗号化した暗号化鍵と、該暗号化鍵を用いて暗号化された前記暗号化コンテンツにアクセスするためのファイル管理情報とを記録すると共に、前記第２のメモリに格納されている暗号化コンテンツを管理するファイル管理情報領域に、前記第１のメモリに記録した前記暗号化コンテンツにアクセスするための前記ファイル管理情報を記録した後、該第２のメモリ内の、前記第1のメモリに記録されたファイル管理情報より示される位置に、前記暗号化コンテンツを記録し、
前記暗号化コンテンツを再生するときは、前記第１のメモリ内の前記暗号化鍵情報記録領域から、前記暗号化鍵と、前記ファイル管理情報とを取得し、該取得したファイル管理情報に基づいて、前記第２のメモリに格納された前記暗号化コンテンツにアクセスし、該アクセスした前記暗号化コンテンツを、前記第1のメモリから取得した暗号化鍵を用いて復号化して再生する、
ことを特徴とするコンテンツ記録再生装置。
【請求項３】
請求項１に記載のコンテンツ記録再生装置において、
前記第１のメモリに格納された前記暗号化コンテンツにアクセスするための前記ファイル管理情報は、前記暗号化コンテンツのファイル名、拡張子、ファイル属性、先頭クラスタ番号、ファイル長、及び記録した日時、である、
ことを特徴とするコンテンツ記録再生装置。
【請求項４】
請求項２に記載のコンテンツ記録再生装置において、
前記第１のメモリ内の前記暗号化鍵情報記録領域に記録される前記暗号化コンテンツにアクセスするためのファイル管理情報と、前記第２のメモリ内の前記ファイル管理情報領域に記録されるファイル管理情報は同一である、
ことを特徴とするコンテンツ記録再生装置。
【請求項５】
暗号化鍵を用いて暗号化されたコンテンツを再生するコンテンツ再生方法において、
アクセス時に認証作業を必要とする著作権保護機能を有する第１のメモリ内の暗号化鍵が格納されている暗号化鍵情報記録領域から、暗号化鍵と、該暗号化鍵を用いて暗号化された暗号化コンテンツにアクセスするためのファイル管理情報とを取得し、
該取得したファイル管理情報に基づいて、大容量記録容量を有する第２のメモリに格納された、前記暗号化鍵を用いて暗号化された暗号化コンテンツにアクセスし、
該アクセスした前記暗号化コンテンツを、前記第1のメモリから取得した暗号化鍵を用いて復号化して再生する、
ことを特徴とするコンテンツ再生方法。
【請求項６】
暗号化鍵を用いて暗号化されたコンテンツを記録するコンテンツ記録方法において、
アクセス時に認証作業を必要とする著作権保護機能を有する第１のメモリ内の暗号化鍵情報記録領域に、前記暗号化鍵と、該暗号化鍵を用いて暗号化された暗号化コンテンツにアクセスするためのファイル管理情報とを記録し、
大容量記録容量を有する第２のメモリに格納された暗号化コンテンツを管理するファイル管理情報領域に、前記第１のメモリに記録した前記暗号化コンテンツにアクセスするための前記ファイル管理情報を記録した後、該第２のメモリ内の、前記第1のメモリに記録したファイル管理情報より示される位置に、前記暗号化鍵を用いて暗号化された暗号化コンテンツを記録する、
ことを特徴とするコンテンツ記録方法。
【請求項７】
コンピュータに、暗号化鍵を用いて暗号化されたコンテンツを再生するコンテンツ再生処理を実行させるコンテンツ再生プログラムであって、
アクセス時に認証作業を必要とする著作権保護機能を有する第１のメモリ内の暗号化鍵が格納されている暗号化鍵情報記録領域から、暗号化鍵と、該暗号化鍵を用いて暗号化された暗号化コンテンツにアクセスするためのファイル管理情報とを取得し、
該取得したファイル管理情報に基づいて、大容量記録容量を有する第２のメモリに格納された、前記暗号化鍵を用いて暗号化された暗号化コンテンツにアクセスし、
該アクセスした前記暗号化コンテンツを、前記第1のメモリから取得した暗号化鍵を用いて復号化して再生する、
ことを特徴とするコンテンツ再生プログラム。
【請求項８】
コンピュータに、暗号化鍵を用いて暗号化されたコンテンツを記録するコンテンツ記録処理を実行させるコンテンツ記録プログラムであって、
アクセス時に認証作業を必要とする著作権保護機能を有する第１のメモリ内の暗号化鍵情報記録領域に、前記暗号化鍵と、該暗号化鍵を用いて暗号化された暗号化コンテンツにアクセスするためのファイル管理情報とを記録し、
大容量記録容量を有する第２のメモリに格納された暗号化コンテンツを管理するファイル管理情報領域に、前記第１のメモリに記録した前記暗号化コンテンツにアクセスするための前記ファイル管理情報を記録した後、該第２のメモリ内の、前記第1のメモリに記録したファイル管理情報より示される位置に、前記暗号化鍵を用いて暗号化された暗号化コンテンツを記録する、
ことを特徴とするコンテンツ記録プログラム。
【発明の詳細な説明】
【技術分野】
【０００１】
本発明は、コンテンツ記録再生装置に関し、特に、大容量メモリに記録されたデータに、高速にアクセス可能なコンテンツ記録再生装置、コンテンツ再生方法及びコンテンツ記録方法に関する。
【背景技術】
【０００２】
従来における、ファイル管理情報記録部を具備した大容量記録容量を有するコンテンツ記録再生装置は、ファイルを管理するファイルシステム等の前記ファイル管理情報記録部と、該ファイル内のデータを格納するデータ格納部とに分かれており、該装置内のファイルにアクセスする際には、前記ファイル管理情報記録部に記録された情報からリンクをたどることで、該装置内に記録されたファイルにアクセスする。
【０００３】
従って、従来では、前記コンテンツ記録再生装置に記録されるデータが膨大になればなるほど、前記ファイル管理情報記録部に記録する情報が増えてしまうため、該装置内のアクセス対象となるデータを検索するまでに時間がかかるという問題が生じていた。
【０００４】
このような問題に対し、従来では、前記大容量記録容量を有するコンテンツ記録再生装置内のファイルに対するアクセス効率を上げるために、該装置内に管理されているファイルの中で特に検索対象として有効となるファイルの属性値、例えばファイル名、ファイル作成日、ファイルサイズ等を、その属性値名の順序、例えば、ファイル名の昇順に並べたキャッシュテーブル等を作成し、ファイルに対するアクセス頻度でそのキャッシュテーブル情報を並べ替え、ファイル検索時には、検索するファイルの属性値を受けて、前記キャッシュテーブルを検索することにより目的のファイルを提示する方法が提案されている（例えば、特許文献１参照）。
【特許文献１】特開平７−１７５７０２号公報
【発明の開示】
【発明が解決しようとする課題】
【０００５】
しかし、前述した方法を、図７に示すような、アクセス時に認証作業を必要とする著作権保護機能を有し、暗号化鍵ファイル７２２を格納する第１のメモリ７２０と、該暗号化鍵ファイル７２１により暗号化された暗号化データ７３２が格納される大容量記録領域を具備し、前記著作権保護機能を持たない第２のメモリ７３０とを備え、前記暗号化鍵ファイル７２２と前記暗号化データ７３２とを対でしか再生できないコンテンツ記録再生装置７００に用いた場合、まず、前記第１のメモリ７２０内の暗号化鍵ファイル７２２を、該第１のメモリ７２０内に含まれるファイル管理情報７２１を介して読み出した後、更に、前記第２のメモリ７３０内の暗号化データ７３２を、該第２のメモリ７３０内に含まれるファイル管理情報７３１を介して読み出すこととなる。つまり、従来の方法では、前記第２のメモリ７３０内の暗号化データ７３２は、当該装置７００内の２つのメモリ７２０，７３０それぞれに含まれるファイル管理情報７２１，７３１を介さないと読み出すことができない。
【０００６】
よって、従来方法においては、前記大容量記録容量を有する第２のメモリ７３０内のファイル数が増大すると、該第２のメモリ７３０内のアクセス対象の暗号化データ７３２にアクセスするために必要な時間が増大することとなり、このことは、当該コンテンツ記録再生装置７００が、例えば、音楽再生などのアプリケーション等である場合、データを再生する際にアンダーフローが発生するという致命的な問題につながる。
【０００７】
本発明は、前記問題に鑑みてなされたものであり、第１のメモリに格納された暗号化鍵を用いて、該第１のメモリとは別の大容量記録容量を有する第２のメモリ内に格納された暗号化データを復号化して再生する際、該第２のメモリに格納された前記暗号化データに高速にアクセスできるコンテンツ記録再生装置、コンテンツ再生方法、及びコンテンツ記録方法を提供することを目的とする。
【課題を解決するための手段】
【０００８】
前記課題を解決するために、本発明のコンテンツ記録再生装置は、アクセス時に認証作業を必要とする著作権保護機能を有し、コンテンツを暗号化する暗号化鍵を格納する第１のメモリと、暗号化されたコンテンツを十分に格納可能な大容量記録容量を有する第２のメモリと、を備えるコンテンツ記録再生装置において、前記第１のメモリ内の、前記暗号化鍵を格納する暗号化鍵情報記録領域に、前記第２のメモリに格納されている前記暗号化鍵を用いて暗号化された暗号化コンテンツにアクセスするためのファイル管理情報を持つものである。
【０００９】
これにより、大容量記録容量を有する第２のメモリ内にあるデータがどんなに増大しても、前記第１のメモリから暗号化鍵を取得した段階で、該第２のメモリ内に格納されているアクセス対象の暗号化コンテンツに、高速にアクセスすることができる。
【００１０】
さらに、本発明のコンテンツ記録再生装置は、前記暗号化コンテンツを記録するときは、前記第１のメモリ内の前記暗号化鍵情報記録領域に、該暗号化コンテンツを暗号化した暗号化鍵と、該暗号化鍵を用いて暗号化された前記暗号化コンテンツにアクセスするためのファイル管理情報とを記録すると共に、前記第２のメモリに格納されている暗号化コンテンツを管理するファイル管理情報領域に、前記第１のメモリに記録した前記暗号化コンテンツにアクセスするための前記ファイル管理情報を記録した後、該第２のメモリ内の、前記第1のメモリに記録されたファイル管理情報より示される位置に、前記暗号化コンテンツを記録し、前記暗号化コンテンツを再生するときは、前記第１のメモリ内の前記暗号化鍵情報記録領域から、前記暗号化鍵と、前記ファイル管理情報とを取得し、該取得したファイル管理情報に基づいて、前記第２のメモリに格納された前記暗号化コンテンツにアクセスし、該アクセスした前記暗号化コンテンツを、前記第1のメモリから取得した暗号化鍵を用いて復号化して再生するものである。
【００１１】
これにより、前記第１のメモリ内の暗号化鍵情報記録領域に、暗号鍵を記録する際に、該暗号化鍵情報記録領域に、該暗号鍵により暗号化された前記第２のメモリ内に格納される暗号化コンテンツにアクセスするためのファイル管理情報を記録することができ、また、前記暗号化データを再生する際には、暗号化鍵を取得した時に、第２のメモリ内に格納されている、該暗号化鍵により暗号化された前記暗号化コンテンツにアクセスするためのファイル管理情報を取得することができる。
【００１２】
さらに、本発明のコンテンツ記録再生装置は、前記第１のメモリに格納された前記暗号化コンテンツにアクセスするための前記ファイル管理情報が、前記暗号化コンテンツのファイル名、拡張子、ファイル属性、先頭クラスタ番号、ファイル長、及び記録した日時、であるものである。
【００１３】
これにより、前記第２のメモリ内に格納された暗号化コンテンツに、高速にアクセスすることができる。
【００１４】
さらに、本発明のコンテンツ記録再生装置は、前記第１のメモリ内の前記暗号化鍵情報記録領域に記録される前記暗号化コンテンツにアクセスするためのファイル管理情報と、前記第２のメモリ内の前記ファイル管理情報領域に記録されるファイル管理情報は同一であるものである。
【００１５】
これにより、前記第１のメモリ内の前記暗号化鍵情報記録領域に記録されるファイル管理情報がなくても、前記第２のメモリにアクセスすることができる。
【００１６】
また、本発明のコンテンツ再生方法は、暗号化鍵を用いて暗号化されたコンテンツを再生するコンテンツ再生方法において、アクセス時に認証作業を必要とする著作権保護機能を有する第１のメモリ内の暗号化鍵が格納されている暗号化鍵情報記録領域から、暗号化鍵と、該暗号化鍵を用いて暗号化された暗号化コンテンツにアクセスするためのファイル管理情報とを取得し、該取得したファイル管理情報に基づいて、大容量記録容量を有する第２のメモリに格納された、前記暗号化鍵を用いて暗号化された暗号化コンテンツにアクセスし、該アクセスした前記暗号化コンテンツを、前記第1のメモリから取得した暗号化鍵を用いて復号化して再生するものである。
【００１７】
これにより、前記第１のメモリから暗号化鍵を取得した時に、前記第２のメモリ内に格納されている、該暗号化鍵により暗号化された前記暗号化コンテンツにアクセスするためのファイル管理情報を取得することができ、この結果、前記第２のメモリ内に格納された暗号化コンテンツに、高速にアクセスすることができる。
【００１８】
また、本発明のコンテンツ記録方法は、暗号化鍵を用いて暗号化されたコンテンツを記録するコンテンツ記録方法において、アクセス時に認証作業を必要とする著作権保護機能を有する第１のメモリ内の暗号化鍵情報記録領域に、前記暗号化鍵と、該暗号化鍵を用いて暗号化された暗号化コンテンツにアクセスするためのファイル管理情報とを記録し、大容量記録容量を有する第２のメモリに格納された暗号化コンテンツを管理するファイル管理情報領域に、前記第１のメモリに記録した前記暗号化コンテンツにアクセスするための前記ファイル管理情報を記録した後、該第２のメモリ内の、前記第1のメモリに記録したファイル管理情報より示される位置に、前記暗号化鍵を用いて暗号化された暗号化コンテンツを記録するものである。
【００１９】
これにより、前記第１のメモリ内の暗号化鍵情報記録領域に暗号鍵を記録する際に、該暗号化鍵情報記録領域に、該暗号鍵により暗号化された前記第２のメモリ内に格納される暗号化コンテンツにアクセスするためのファイル管理情報を記録することができ、この結果、前記第２のメモリ内に格納された暗号化コンテンツに、高速にアクセスすることができる。
【００２０】
また、本発明のコンテンツ再生プログラムは、コンピュータに、暗号化鍵を用いて暗号化されたコンテンツを再生するコンテンツ再生処理を実行させるコンテンツ再生プログラムであって、アクセス時に認証作業を必要とする著作権保護機能を有する第１のメモリ内の暗号化鍵が格納されている暗号化鍵情報記録領域から、暗号化鍵と、該暗号化鍵を用いて暗号化された暗号化コンテンツにアクセスするためのファイル管理情報とを取得し、該取得したファイル管理情報に基づいて、大容量記録容量を有する第２のメモリに格納された、前記暗号化鍵を用いて暗号化された暗号化コンテンツにアクセスし、該アクセスした前記暗号化コンテンツを、前記第1のメモリから取得した暗号化鍵を用いて復号化して再生するものである。
【００２１】
これにより、前記第１のメモリ内の暗号化鍵情報記録領域に暗号鍵を記録する際に、該暗号化鍵情報記録領域に、該暗号鍵により暗号化された前記第２のメモリ内に格納される暗号化データにアクセスするためのファイル管理情報を記録する処理を、コンピュータに実行させることができ、この結果、前記第２のメモリ内にあるデータがどんなに増大しても、前記第１のメモリから暗号化鍵を取得した段階で、該第２のメモリ内に格納されているアクセス対象の暗号化コンテンツに、高速にアクセスすることができる。
【００２２】
また、本発明のコンテンツ記録プログラムは、コンピュータに、暗号化鍵を用いて暗号化されたコンテンツを記録するコンテンツ記録処理を実行させるコンテンツ記録プログラムであって、アクセス時に認証作業を必要とする著作権保護機能を有する第１のメモリ内の暗号化鍵情報記録領域に、前記暗号化鍵と、該暗号化鍵を用いて暗号化された暗号化コンテンツにアクセスするためのファイル管理情報とを記録し、大容量記録容量を有する第２のメモリに格納された暗号化コンテンツを管理するファイル管理情報領域に、前記第１のメモリに記録した前記暗号化コンテンツにアクセスするための前記ファイル管理情報を記録した後、該第２のメモリ内の、前記第1のメモリに記録したファイル管理情報より示される位置に、前記暗号化鍵を用いて暗号化された暗号化コンテンツを記録するものである。
【００２３】
これにより、前記第１のメモリ内の暗号化鍵情報記録領域に暗号鍵を記録する際に、該暗号化鍵情報記録領域に、該暗号鍵を用いて暗号化された前記第２のメモリ内に格納される暗号化コンテンツにアクセスするためのファイル管理情報を記録する処理をコンピュータに実行させることができ、この結果、前記第２のメモリ内にあるデータがどんなに増大しても、前記第１のメモリから暗号化鍵を取得した段階で、該第２のメモリ内に格納されているアクセス対象の暗号化コンテンツに、高速にアクセスすることができる。
【発明の効果】
【００２４】
本発明のコンテンツ記録再生装置、コンテンツ再生方法、及びコンテンツ記録方法によれば、第１のメモリ内の暗号化鍵を記録する暗号化鍵情報記録領域に、前記暗号化鍵と共に、大容量記録容量を有する第２のメモリ内に格納された、該暗号化鍵により暗号化された暗号化データにアクセスするためのファイル管理情報を記録するようにしたので、前記第２のメモリに記録する暗号化コンテンツがどんなに増大しても、前記第１のメモリから暗号化鍵を取得した段階で、該暗号化鍵を用いて暗号化された暗号化コンテンツのファイル管理情報を取得でき、前記第２のメモリに格納された該暗号化コンテンツに高速にアクセスすることができる。
【発明を実施するための最良の形態】
【００２５】
以下に、本発明のコンテンツ記録再生装置について、図面とともに詳細に説明する。
【００２６】
（実施の形態１）
以下、図１〜図６を用いて、本実施の形態１にかかるコンテンツ記録再生装置について説明する。
まず、図１〜図４を用いて、本実施の形態１におけるコンテンツ記録再生装置の構成について説明する。図１は、本実施の形態１におけるコンテンツ記録再生装置の構成を示す図であり、図２は、本実施の形態１におけるコンテンツ記録再生装置の、著作権保護機能を有する第１のメモリの構造を示す図であり、図３は、本実施の形態１におけるコンテンツ記録再生装置の著作権保護機能を持たない大容量記録容量を有する第２のメモリの構造を示す図であり、図４は、図２に示す第１のメモリ内の各暗号化鍵ファイルの構造を示す図である。
【００２７】
図１において、コンテンツ記録再生装置１００は、著作権保護機能を有する第１のメモリ１２０と、著作権保護機能を持たない大容量記録容量を有する第２のメモリ１３０と、中央演算部１１０と、一時メモリ１４０と、ＤＡＣ１５０と、を備えるものである。なお、著作権保護機能を持つとは、アクセス時、つまりデータを読み出したり、書き込んだりする時に、認証作業が必要になるという意味である。
【００２８】
以下、各部について詳細に述べると、前記中央演算部１１０は、デバイスの制御及び命令の解読などを行うものであり、また、前記一時メモリ１４０は、例えばＳＤＲＡＭ等で実現されるものであって、前記中央演算部１１０の処理を行う際にメモリとして用いられたり、機器の命令コードや、前記著作権保護機能を有した第１のメモリ１２０や、前記著作権保護機能を持たない大容量記録容量を有する第２のメモリ１３０内のデータを一時的に格納するために用いられるものである。
【００２９】
そして、前記第１のメモリ１２０は、コンテンツデータを暗号化する暗号化鍵が格納され、前記第２のメモリ１３０は、前記第１のメモリ１２０内に格納される暗号化鍵を用いて暗号化されたデータ、例えば、暗号化された音楽データやビデオデータ等のマルチメディアデータが格納される。つまり、当該装置１００内のコンテンツデータを再生する場合には、前記第１のメモリ１２０に格納された暗号化鍵と、前記第２のメモリ１３０に格納された暗号化データ１３２とが対でないと再生できないようになっている。
【００３０】
そして、前記暗号化鍵を用いて復号化されたコンテンツデータは、一時メモリ１４０に一時的に格納され、デコーダチップ１５０、及びＤＳＰ（図示せず）によって再生が行われる。なお、このプログラムの処理及びデータの移動等は、前記中央演算部１１０において行う。
【００３１】
ここで、図２〜図３を用いて、前記第１のメモリ１２０、及び第２のメモリ１３０の構造を詳細に説明する。
図２に示すように、前記第１のメモリ１２０は、コンテンツを暗号化する暗号化鍵を含む暗号化鍵ファイル（暗号化鍵情報記録領域）１２２と、該暗号化鍵ファイル１２２にアクセスするためのファイル管理情報１２１と、を有するものであり、また、前記第２のメモリ１３０は、図３に示すように、前記暗号化鍵によって暗号化された暗号化データ１３２と、該暗号化データ１３２にアクセスするためのファイル管理情報１３１と、を含んでいる。
【００３２】
なお、前記各メモリ１２０，１３０内のファイル管理情報１２１，１３１は、一般的にファイルシステムと呼ばれているものであり、該各メモリ１２０，１３０内のファイルへのアクセス、つまり読み込み、書き込み等の処理を行う際に、この部分を介して行われる。
【００３３】
次に、図４を用いて、前記第１のメモリ１２０内の暗号化鍵ファイルの内部構造について詳細に説明する。
図４に示すように、第１のメモリ１２０内に格納されている個々の暗号化鍵ファイル１２２は、第２のメモリ１３０内に格納される暗号化データ１３２を暗号化する暗号化鍵を格納する暗号化鍵領域１２２１と、未使用領域１２２２とから構成され、さらに前記未使用領域１２２２には、第２のメモリ１３０内の、該暗号化鍵により暗号化された暗号化データにアクセスするためのファイル管理情報１２２０が保持されている。なお、前記暗号化鍵ファイル１２２内に含まれるファイル管理情報１２２０は、前記暗号化データにアクセスするための情報であって、例えば、前記暗号化データのファイル名１２２３、拡張子１２２４、ファイル属性１２２５、先頭クラスタ番号１２２６、ファイルサイズを表すファイル長１２２７、記録時刻１２２８、あるいは記録日付１２２９等の情報からなるものであり、このファイル管理情報１２２０は、前記暗号化鍵により暗号化されたコンテンツを前記第２のメモリ１３０に格納する際に、前記暗号化鍵と共に、前記第１のメモリ１２０内の暗号化鍵ファイル１２２内に書き込まれる。
【００３４】
次に、図５及び図６を用いて、前述した構成を有するコンテンツ記録再生装置のコンテンツ再生動作、及びコンテンツ記録動作について説明する。図５は、本実施の形態１におけるコンテンツ記録再生装置の、コンテンツ再生動作の一連の流れを示すフローチャートであり、図６は、本実施の形態１におけるコンテンツ記録再生装置の、コンテンツ記録動作の一連の流れを示すフローチャートである。なお、ここでは、前記第１のメモリ１２０にアクセスする際に必要となる認証作業については省略する。
【００３５】
まず、図５を用いて、第２のメモリ１３０に格納された暗号化されたコンテンツデータを、第１のメモリ１２０に格納された暗号化鍵を用いて復号化して再生する一連の動作について説明する。
【００３６】
まず、第１のメモリ１２０内から、ファイル管理情報１２１を用いて暗号化鍵ファイル１２２内の暗号化鍵を読み出し、一時メモリ１４０に保持する（ステップＳ１１）。次に、前記暗号化鍵ファイル１２２内の未使用領域１２２２から、ファイル管理情報１２２０、例えば、暗号化データのファイル名１２２３や、先頭クラスタ番号１２２６等を取得し（ステップＳ１２）、このファイル管理情報１２２０を用いて、第２のメモリ１３０内の暗号化データ１３２に対して直接読み込みや書き込み等のアクセス処理を行う（ステップＳ１３）。
【００３７】
つまり、本実施の形態１では、前記第２のメモリ１３０から暗号化データ１３２を読み出す際に、前記第２のメモリ１３０内のファイル管理情報１３１は使用しないで、前記第１のメモリ１２０内の前記暗号化鍵ファイル１２２から暗号化鍵を取得した段階で、直接前記第２のメモリ１３０に格納されている該暗号化鍵により暗号化された暗号化データ１３２にアクセスすることができる。
【００３８】
この後、前記中央演算部１１０において、前記暗号化鍵を用いて前記暗号化データ１３２の復号化処理を行い（ステップＳ１４）、復号化されたデータをＤＡＣ１５０及びＤＳＰ等に転送して、コンテンツデータの再生を行う（ステップＳ１５）。
【００３９】
次に、図６を用いて、暗号化鍵を用いて暗号化された暗号化コンテンツデータを、第２のメモリ１３０に記録する一連の動作について説明する。
【００４０】
まず、データの暗号化は、当該装置１００に接続されるＰＣ等の外部計算装置（図示せず）において行われる。つまり、外部計算装置にて暗号化鍵を作成し、その暗号化鍵でコンテンツデータの暗号化が行われ、当該装置１００は、該暗号化鍵と、暗号化データを受信する（ステップＳ２１）。なお、このデータの暗号化は、当該コンテンツ記録再生装置１００内で行っても良い。
【００４１】
次に、中央演算部１１０は、著作権保護機能を備えた第１のメモリ１２０に暗号化鍵を書き込むために、ファイル管理情報１２１を介して書き込む位置等を計算する。また、暗号化されたデータを前記第２のメモリ１３０に書き込むために、該第２のメモリ１３０内のファイル管理情報１３１を介して書き込む位置を計算する。そして、その計算された前記第１のメモリ１２０内の書き込み位置に、前記暗号化鍵を記録し、該第１のメモリ１２０内のファイル管理情報１２１に、該書き込んだ暗号化鍵ファイルのファイル管理情報を記録する（ステップＳ２２）。
【００４２】
そして、暗号化されたデータのファイル名、ファイルサイズ、先頭クラスタ番号等のファイルアクセスに必要なファイル管理情報１２２０を、第２のメモリ１３０内のファイル管理情報１３１に記録するのと同時に、前記第１のメモリ１２０における暗号化鍵ファイル１２２内の未使用領域１２２２に書き込む（ステップＳ２３）。
【００４３】
つまり、前記暗号化データ１３２のファイル管理情報を、前記第２のメモリ１３０内のファイル管理情報１３１に記録すると同時に、前記第１のメモリ内の暗号化鍵ファイル１２２内にも記録するようにすれば、該暗号化データ１３２を再生する際に、前記第２のメモリ１３０内のファイル管理情報１３１を参照することなく、前記第１のメモリ１２０内の前記暗号化鍵ファイル１２２から暗号化鍵を取得した段階で、直接前記第２のメモリ１３０内の該暗号化データ１３２にアクセスすることができる。
そしてこの後、前記暗号化鍵を用いて暗号化された暗号化データ１３２を、前記第２のメモリ１３０内に書き込む（ステップＳ２４）。
【００４４】
以上のように、本実施の形態１によれば、前記大容量記録領域を有する第２のメモリ１３０内に格納されている暗号化データ１３２を読み出すときには、前記第１のメモリ１２０内から暗号化鍵を必ず読み出さないと復号化が行えないことに鑑み、前記第１のメモリの暗号化鍵ファイル１２２内に、暗号化鍵と、第２のメモリ１３０に格納される該暗号化鍵を用いて暗号化された暗号化データにアクセスするためのファイル管理情報１２２０とを記録するようにしたので、前記第１のメモリ１２０から暗号化鍵を読み出した際に、同時に前記第２のメモリ１３０内に格納されている該暗号化鍵を用いて暗号化された暗号化データにアクセスするためのファイル管理情報を取得することが可能となり、これにより、前記第２のメモリ１３０内に格納される暗号化データが格納される暗号化データファイル１３２の数が増大した場合でも、高速に第２のメモリ１３０内の暗号化データにアクセスができ、データのアンダーフローといった問題がファイルの読み込み時間によるデータのアンダーフロー等が生じないようにすることができる。
【００４５】
また、本実施の形態１によれば、第１のメモリ１２０内のファイル管理情報１２１と、第２のメモリ１３０内のファイル管理情報１３１との整合性が取れる。
【００４６】
なお、前記実施の形態１の説明においては、第２のメモリ１３０が、著作権保護機能を持たないものとして説明したが、該第２のメモリ１３０が、前記第1のメモリ１２０同様、アクセス時に認証作業を必要とする著作権保護機能を有するものであってもよい。
【００４７】
また、本実施の形態１においては、本コンテンツ記録再生装置１００の中央演算部１１０にて制御し、コンテンツを暗号化して記録するコンテンツ記録処理や、暗号化されたコンテンツを再生するコンテンツ再生処理を行うものとして説明したが、これらの処理をプログラムとしてメモリ等に格納し、コンピュータにより自動的に実行させるようにしてもよい。
【産業上の利用可能性】
【００４８】
本発明の著作権保護機能を備えたコンテンツ記録再生装置は、特に大容量メモリに記録された複数のファイルに高速にアクセスする場合に有用である。
【図面の簡単な説明】
【００４９】
【図１】本発明の実施の形態１にかかるコンテンツ記録再生装置の構成を示す図である。
【図２】本発明の実施の形態１にかかるコンテンツ記録再生装置の第１のメモリ内の詳細な構造を示す図である。
【図３】本発明の実施の形態１にかかるコンテンツ記録再生装置の大容量記録容量を有する第２のメモリ内の詳細な構造を示す図である。
【図４】本発明の実施の形態１にかかるコンテンツ記録再生装置の第１のメモリ内の、暗号化鍵ファイルの詳細な構造を示す図である。
【図５】本発明の実施の形態１のコンテンツ記録再生装置において、大容量記録容量を有する第２のメモリに格納された暗号化データを再生する際の一連の流れを示すフローチャートである。
【図６】本発明の実施の形態１のコンテンツ記録再生装置において、暗号化データを大容量記録容量を有する第２のメモリに記録する際の一連の流れを示すフローチャートである。
【図７】従来のコンテンツ記録再生装置の構成を示す図である。
【符号の説明】
【００５０】
１００，７００  コンテンツ記録再生装置
１１０，７１０  中央演算部
１２０，７２０  著作権保護機能を有する第１のメモリ
１２１，１３１，７２１，７３１  ファイル管理情報
１２２，７２２  暗号化鍵ファイル
１３０，７３０  著作権保護機能を持たない大容量記録容量を有する第２のメモリ
１３２，７３２  暗号化データ
１４０，７４０  一時メモリ
１５０，７５０  ＤＡＣ
１２２０  ファイル管理情報
１２２１  暗号化鍵領域
１２２２  未使用領域
１２２３  ファイル名
１２２４  拡張子
１２２５  ファイル属性
１２２６  先頭クラスタ番号
１２２７  ファイル長
１２２８  記録時刻
１２２９  記録日付
【図１】
2005128898.tif 000003
【図２】
2005128898.tif 000004
【図３】
2005128898.tif 000005
【図４】
2005128898.tif 000006
【図５】
2005128898.tif 000007
【図６】
2005128898.tif 000008
【図７】
2005128898.tif 000009